(57)【要約】【課題】化粧を行う際、鏡の高さ位置に拘わらず適切な照度で鏡を使用することが可能な洗面化粧台を提供する。【解決手段】洗面化粧台１に、前方に開口部８を有し化粧用品や洗面用品等を収容可能とした第一収容棚９と、第一収容棚９の前方に配置され上下方向へ移動可能に支持されると共に開口部８を部分的に閉鎖する移動鏡１０と、移動鏡１０の上側に固定状態で取付けられ、移動鏡１０と共に上下方向に移動可能とされた化粧側照明装置２４と、化粧側照明装置２４と移動鏡１０とを任意の高さで保持する保持装置と、移動鏡１０と第一収容棚９との間を通して配線され、化粧側照明装置２４に電力を供給する電源コードとを具備させる。【選択図】図２
0003137698.tif 000002
【実用新案登録請求の範囲】
【請求項１】
前面に開口部を有し、化粧用品又は洗面用品を収容可能とした収容棚と、
該収容棚の前方に配置され、上限位置と下限位置との間で上下方向へ移動可能に支持されると共に、前記開口部を部分的に閉鎖する鏡と、
該鏡の縁に固定状態で取付けられ、前記鏡と共に上下方向に移動可能とされた照明装置と、
該照明装置と前記鏡とを任意の高さで保持する保持装置と、
前記鏡と前記収容棚との間を通して配線され、前記照明装置に電力を供給する電源コードと
を具備することを特徴とする洗面化粧台。
【請求項２】
前記上限位置における前記鏡の下縁の高さより、前記下限位置における前記鏡の上縁の高さが高くなるように、前記鏡の移動範囲が設定され、
前記収容棚の側板は、前記電源コードが挿通される配設通路を内部に備えると共に、該配設通路に挿通された前記電源コードが取出される配線出口を備え、
前記配線出口は、前記鏡の後方であると共に、前記上限位置における前記鏡の下縁より高く、且つ前記下限位置における前記鏡の上縁よりも低い位置に配置され、
前記電源コードは、前記配線出口に対して前記照明装置が近傍位置に配置される際に、前記配線出口より取出された電源コード取出部分が短寸状態となり、前記配線出口に対して前記照明装置が離隔位置に配置される際に、前記配線出口より取出された電源コード取出部分が長寸状態となる
ことを特徴とする請求項１に記載の洗面化粧台。
【請求項３】
洗面ボール及びカランを有した洗面台と、
該洗面台の上方後側に立設された固定鏡、及び該固定鏡の上方又は左右両側に固定状態で配置された洗面側照明装置を有した洗面側上部と、
前記洗面台の右側又は左側のいずれか一方に並設された化粧机と、
該化粧机の上方後側に配置され前面に開口部を有すると共に化粧用品又は洗面用品を収容可能とした収容棚と、
該収容棚の前方に配置され上限位置と下限位置との間で上下方向に移動可能に支持されると共に、前記開口部を部分的に閉鎖する移動鏡と、
該移動鏡の縁に固定状態で取付けられ前記移動鏡と共に上下方向に移動可能とされた化粧側照明装置と、
該化粧側照明装置と前記移動鏡とを任意の高さで保持する保持装置と、
前記移動鏡と前記収容棚との間を通して配線され前記化粧側照明装置に電力を供給する電源コードと
を具備し、部屋内の床面に配置され壁面に固定状態で取付けられる洗面化粧台であって、
前記上限位置における前記移動鏡の下縁の高さより、前記下限位置における前記移動鏡の上縁の高さが高くなるように、前記移動鏡の移動範囲が設定され、
前記収容棚の側板は、前記電源コードが挿通される配設通路を内部に備えると共に、該配設通路に挿通された前記電源コードが取出される配線出口を備え、
前記配線出口は、前記移動鏡の後方であると共に、前記上限位置における前記移動鏡の下縁より高く、且つ前記下限位置における前記移動鏡の上縁よりも低い位置に配置され、
前記電源コードは、前記配線出口に対して前記化粧側照明装置が近傍位置に配置される際に、前記配線出口より取出された電源コード取出部分が短寸状態となり、前記配線出口に対して前記化粧側照明装置が離隔位置に配置される際に、前記配線出口より取出された電源コード取出部分が長寸状態となることを特徴とする洗面化粧台。
【考案の詳細な説明】
【技術分野】
【０００１】
本考案は、洗面化粧台に関するもので、特に、鏡の高さを調整することができる洗面化粧台に関するものである。
【背景技術】
【０００２】
従来より、洗面化粧台は、洗面ボール、カラン及び棚等を備えたものが提案されており、化粧を行うだけでなく、手、顔及び髪を洗ったり、化粧用品及び洗面用品等を収容したりと様々な用途に供されている。そして、洗面化粧台として、収納部と、収納部の開口に取り付けられ上下方向に移動可能な鏡と、収納部の上方に固定状態で設置された照明とを具備し、鏡の高さを調節することにより、使用者が立った状態でも、座った状態でも使用することができるようにしたものが提案されている（特許文献１）。
【０００３】
【特許文献１】特開平８−１９６４４６号公報
【考案の開示】
【考案が解決しようとする課題】
【０００４】
しかしながら、上記の洗面化粧台において、鏡を下方へ移動させると、鏡と照明との距離が遠くなり、鏡に写される者等に対する照度が低くなる問題があった。
【０００５】
特に、女性が化粧する際、座った状態で化粧をすることが多いが、顔が写るように鏡を下方へ移動させた際には、照明からの光は上方から照射されることとなるため、鏡に写される顔には髪や鼻等の影が生じ、上記の洗面化粧台は、使い勝手の悪いものとなっていた。
【０００６】
そこで、本考案は上記の実情に鑑み、化粧等を行う際、鏡の高さ位置に拘わらず適切な照度で鏡を使用することが可能な洗面化粧台の提供を課題とするものである。
【課題を解決するための手段】
【０００７】
上記の課題を解決するため、本考案にかかる洗面化粧台は「前面に開口部を有し、化粧用品又は洗面用品を収容可能とした収容棚と、該収容棚の前方に配置され、上限位置と下限位置との間で上下方向へ移動可能に支持されると共に、前記開口部を部分的に閉鎖する鏡と、該鏡の縁に固定状態で取付けられ、前記鏡と共に上下方向に移動可能とされた照明装置と、該照明装置と前記鏡とを任意の高さで保持する保持装置と、前記鏡と前記収容棚との間を通して配線され、前記照明装置に電力を供給する電源コードとを具備する」ものである。
【０００８】
ここで、「上限位置」とは、鏡が上方向に移動した際に、位置することのできる最も上方の高さのことをいう。また、「下限位置」とは、鏡が下方向に移動した際に、位置することのできる最も下方の高さのことをいう。
【０００９】
また、「上限位置と下限位置との間で上下方向に移動可能に支持される」として、「収容棚の対向する側板の前方に上下方向に延びる凹状のガイドレールを備え、鏡の左右両端がガイドレールに沿って上下方向に移動可能に支持されるもの」を例示することができる。
【００１０】
更に、「任意の高さで保持する保持装置」として、「鏡と錘とを吊り合わせて、鏡の高さを保持するもの」を例示することができる。
【００１１】
従って、本考案の洗面化粧台は、上限位置と下限位置との間で上下方向へ移動可能に支持された鏡を備えているため、立った状態で化粧をする際には、鏡を上方へ移動させることにより、鏡に写された顔を見ることができる。また、座った状態で化粧をする際には、鏡を下方へ移動させることにより、鏡に写された顔を見ることができる。
【００１２】
そして、鏡を上下方向に移動させると、鏡の縁に固定状態で取付けられた照明装置が鏡と共に上下方向へ移動され、鏡に写される使用者に対する照度を一定に保つことができ、使用者は常に鏡に適切な照度で写された顔を見ることができる。
【００１３】
また、鏡を移動させた際に、保持装置が鏡を任意の高さで保持するため、使い勝手の良いものとすることができる。
【００１４】
更に、化粧棚の前方において、鏡が上下方向に移動するため、鏡を上方向に移動させることにより、収容棚の下部に対して化粧品等を出し入れすることができる。また、鏡を下方向に移動させることにより、収容棚の上部に対して化粧品等を出し入れすることができる。
【００１５】
また、電源コードは、鏡と収容棚との間を通して配線されているため、鏡により遮蔽され、意匠性に優れたものとすることができる。
【００１６】
上記の構成に加え、本考案の洗面化粧台は「前記上限位置における前記鏡の下縁の高さより、前記下限位置における前記鏡の上縁の高さが高くなるように、前記鏡の移動範囲が設定され、前記収容棚の側板は、前記電源コードが挿通される配設通路を内部に備えると共に、該配設通路に挿通された前記電源コードが取出される配線出口を備え、前記配線出口は、前記鏡の後方であると共に、前記上限位置における前記鏡の下縁より高く、且つ前記下限位置における前記鏡の上縁よりも低い位置に配置され、前記電源コードは、前記配線出口に対して前記照明装置が近傍位置に配置される際に、前記配線出口より取出された電源コード取出部分が短寸状態となり、前記配線出口に対して前記照明装置が離隔位置に配置される際に、前記配線出口より取出された電源コード取出部分が長寸状態となる」ものであってもよい。
【００１７】
ここで、「配線出口より取出された電源コード取出部分が短寸状態となり」及び「配線出口より取出された電源コード取出部分が長寸状態となり」として、「配線出口より取出された部位を螺旋状に形成して、螺旋状の電源コード取出部分が伸び縮みすることにより、短寸状態及び長寸状態となるもの」及び「配線出口にコードリールを備え、配線出口より取出される電源コード取出部分が巻取り又は引き出されることにより、短寸状態及び長寸状態となるもの」を例示できる。
【００１８】
本考案の洗面化粧台は、上限位置における鏡の下縁の高さより、下限位置における鏡の上縁の高さが高くなるように、鏡の移動範囲が設定されているので、移動された鏡の高さに拘わらず、開口部の一部は、常に遮蔽されることとなる。
【００１９】
そして、電源コードは、収容棚の側板内に備えられた配設通路へ挿通され、鏡の後方であり常に遮蔽される収容棚の前方に配置された配線出口より取出されるため、鏡の高さに拘わらず、常に鏡の後方に位置することとなり、前方から見えないので、意匠性に優れたものとすることができる。
【００２０】
また、配線出口に対して照明装置が近傍位置に配置される際には、電源コードにおける、配線出口より取出された電源コード取出部分が短寸状態となるため、電源コードが無用に垂れ下がったり、収容棚内に配置された化粧用品及び洗面用品に絡まることがなく、使い勝手の良いものとすることができる。
【００２１】
そして、配線出口に対して照明装置が離隔位置に配置される際には、電源コードにおける、配線出口より取出された電源コード取出部分が長寸状態となるため、鏡及び照明装置を容易に移動させることができ、使い勝手の良いものとすることができる。
【００２２】
また、本考案の洗面化粧台は「洗面ボール及びカランを有した洗面台と、該洗面台の上方後側に立設された固定鏡、及び該固定鏡の上方又は左右両側に固定状態で配置された洗面側照明装置を有した洗面側上部と、前記洗面台の右側又は左側のいずれか一方に並設された化粧机と、該化粧机の上方後側に配置され前面に開口部を有すると共に化粧用品又は洗面用品を収容可能とした収容棚と、該収容棚の前方に配置され上限位置と下限位置との間で上下方向に移動可能に支持されると共に、前記開口部を部分的に閉鎖する移動鏡と、前記移動鏡の縁に固定状態で取付けられ前記移動鏡と共に上下方向に移動可能とされた化粧側照明装置と、該化粧側照明装置と前記移動鏡とを任意の高さで保持する保持装置と、前記移動鏡と前記収容棚との間を通して配線され前記化粧側照明装置に電力を供給する電源コードとを具備し、部屋内の床面に配置され壁面に固定状態で取付けられる洗面化粧台であって、前記上限位置における前記移動鏡の下縁の高さより、前記下限位置における前記移動鏡の上縁の高さが高くなるように、前記移動鏡の移動範囲が設定され、前記収容棚の側板は、前記電源コードが挿通される配設通路を内部に備えると共に、該配設通路に挿通された前記電源コードが取出される配線出口を備え、前記配線出口は、前記移動鏡の後方であると共に、前記上限位置における前記移動鏡の下縁より高く、且つ前記下限位置における前記移動鏡の上縁よりも低い位置に配置され、前記電源コードは、前記配線出口に対して前記化粧側照明装置が近傍位置に配置される際に、前記配線出口より取出された電源コード取出部分が短寸状態となり、前記配線出口に対して前記化粧側照明装置が離隔位置に配置される際に、前記配線出口より取出された電源コード取出部分が長寸状態となる」ものであってもよい。
【００２３】
本考案の洗面化粧台は、上限位置と下限位置との間で上下方向へ移動可能に支持された移動鏡を備えているため、立った状態で化粧をする際には、移動鏡を上方へ移動させることにより、移動鏡に写された顔を見ることができる。また、座った状態で化粧をする際には、移動鏡を下方へ移動させることにより、移動鏡に写された顔を見ることができる。
【００２４】
本考案の洗面化粧台において、移動鏡を上下方向に移動させると、移動鏡の縁に固定状態で取付けられた化粧側照明装置が、移動鏡と共に上下方向へ移動され、移動鏡に写される使用者に対する照度を一定に保つことができ、使用者は常に移動鏡に適切な照度で写された顔を見ることができる。また、移動鏡を移動させた際に、保持装置が移動鏡を任意の高さで保持するため、使い勝手の良いものとすることができる。
【００２５】
また、収容棚の前方において、移動鏡が上下方向に移動するため、移動鏡を上方向に移動させることにより、収容棚の下部に対して化粧品等を出し入れすることができる。また、移動鏡を下方向に移動させることにより、収容棚の上部に対して化粧品等を出し入れすることができる。
【００２６】
更に、電源コードは、移動鏡と収容棚との間を通して配線されているため、移動鏡により遮蔽され、意匠性に優れたものとすることができる。
【００２７】
また、上限位置における移動鏡の下縁の高さより、下限位置における移動鏡の上縁の高さが高くなるように、移動鏡の移動範囲が設定されているので、移動された移動鏡の位置に拘わらず、開口部の一部は、常に遮蔽されることとなる。
【００２８】
そして、電源コードは、収容棚の側板内に備えられた配設通路へ挿通され、移動鏡の後方であり常に遮蔽される収容棚の前方に配置された配線出口より取出されるため、移動鏡の位置に拘わらず、常に移動鏡の後方に位置することとなり、前方から見えないので、意匠性に優れたものとすることができる。
【００２９】
また、配線出口に対して化粧側照明装置が近傍位置に配置される際には、電源コードにおける、配線出口より取出された電源コード取出部分が短寸状態となるため、電源コードが無用に垂れ下がったり、収容棚内に配置された化粧用品及び洗面用品に絡まることがなく、使い勝手の良いものとすることができる。
【００３０】
そして、配線出口に対して化粧側照明装置が離隔位置に配置される際には、電源コードにおける、配線出口より取出された電源コード取出部分が長寸状態となるため、移動鏡及び化粧側照明装置を容易に移動させることができ、使い勝手の良いものとすることができる。
【００３１】
また、本考案の洗面化粧台は、移動鏡の下方に配置された化粧机を備えているため、化粧をする際に、使用する化粧品等を予め全て化粧机の上部に配置しておくことができ、夫々の化粧品等を用意するために体勢を変えることなく化粧を行うことができる。
【００３２】
また、化粧机と並設された洗面台を備えているため、使用者は殆んど移動することなく、手、顔、及び髪等を洗うことができる。更に、洗面側上部は、固定鏡を有しているため、構成が簡単なものとされ、使用者側へ無用に突出されることがなく、使用者が髪等を洗う際、邪魔にならないものとすることができる。なお、固定鏡は、移動されないため、洗面側上部の上部側から下部側までの大きさとすることができ、固定鏡に対向する広い範囲を写すことができる。
【考案の効果】
【００３３】
以上のように本考案によると、化粧等を行う際、鏡の高さ位置に拘わらず適切な照度で鏡を使用することが可能な洗面化粧台の提供をすることができる。
【考案を実施するための最良の形態】
【００３４】
以下、本考案を実施するための最良の形態である洗面化粧台について、図１乃至図４に基づき説明する。図１は本考案の洗面化粧台を示す正面図であり、図２は洗面化粧台を示す斜視図であり、図３は図１の洗面化粧台における化粧側上部を示す拡大正面図であり、図４は図３におけるＡ−Ａ断面図であり、（ａ）は移動鏡が下限位置にある状態を示し、（ｂ）は移動鏡が上限位置にある状態を示す断面図である。
【００３５】
本実施形態の洗面化粧台１は、図１及び図２に示すように、洗面ボール２及びカラン３を上部に有した洗面台４と、洗面台４の上方後側に立設された固定鏡５を有した洗面側上部６と、洗面台４に並設された化粧机７と、化粧机７の上方後側に配置され前面に開口部８を有すると共に化粧用品又は洗面用品等を収容可能とした第一収容棚９、及び第一収容棚９の前方に配置され上限位置と下限位置との間で上下方向に移動可能に支持されると共に、開口部８を部分的に閉鎖する移動鏡１０を有した化粧側上部１１とを備え、部屋内の床面に配置され壁面に固定状態で取付けられている。ここで、移動鏡１０は、図３及び図４に示すように、上限位置における移動鏡１０の下縁の高さＢより、下限位置における移動鏡１０の上縁の高さＣが高くなるように移動範囲が設定されている。なお、図３において、実線で示された移動鏡１０は、下限位置における移動鏡１０を示したものであり、二点鎖線で示された移動鏡１０は、上限位置における移動鏡１０を示したものである。また、移動鏡１０が本考案における鏡に相当するものであり、第一収容棚９が本考案における収容棚に相当するものである。
【００３６】
本実施形態の洗面台４は、図１及び図２に示すように、収納物を収納可能な収納空間が内部に形成され、前面に収納空間を開閉可能に閉鎖する扉１２を備えている。また、洗面台４におけるカラン３は、冷水及び温水が吐水される吐水口１３が延出されている。なお、吐水口１３は、先端側が伸縮可能であると共に直流吐水とシャワー吐水とに切替可能である。
【００３７】
洗面側上部６には、図１及び図２に示すように、洗面側上部６の上部側であると共に固定鏡５の左右両側に固定状態で配置された洗面側照明装置１４と、洗面側上部６の下部側であると共に固定鏡５の左右両側より床面に対して略平行状態に前方へ突出した板状の突出板１５、及び突出板１５の僅か上方に固定状態で取付けられ平面視で略コ字状を呈した落下防止枠１６を有し、化粧品等の小物が配置される小物配置体１７とが備えられている。なお、小物配置体１７は、上下に列設されている。更に、固定鏡５の右側（図１中、右側）であり上下に配設された小物配置体１７の間には、洗面側照明装置１４の照明をＯＮ・ＯＦＦする電源スイッチ１８及びドライヤー等の家電製品を利用可能にする電源コンセント１９からなる洗面側電源部２０が備えられている。
【００３８】
また、化粧机７は、図１及び図２に示すように、一対の側板２１、側板２１の後部を閉鎖する背板２２、及び背板２２と側板２１の上側に配置される天板２３より形成され、天板２３の高さが洗面台４と同じ高さにされている。
【００３９】
また、化粧側上部１１は、図３に示すように、移動鏡１０の上側に固定状態で取付けられた化粧側照明装置２４と、化粧側照明装置２４と移動鏡１０とを任意の高さで保持する保持装置２５（図４参照）と、移動鏡１０と第一収容棚９の間を通して配線され、化粧側照明装置２４に電力を供給する電源コード２６と、第一収容棚９に並設された第二収容棚２７とを更に備えている。ここで、化粧側照明装置２４が本考案における照明装置に相当するものである。
【００４０】
第一収容棚９は、図３及び図４に示すように、縦長の長方形状を呈した対向する一対の側板２８、側板２８の上部に設けられた天板２９、側板２８の下部に設けられた底板３０、及び後側を閉鎖する背面板３１から形成されており、第一収容棚９内を上下方向に仕切る仕切り板３２と、側板２８同士の対向する面の開口部８側に配置され天板２９の下面から底板３０の上面まで延びるガイドレール３３と、側板２８の後端における上部側及び下部側より一対の側板２８の内側方向に夫々延出され、部屋内の壁面（図示しない）に固定状態で取付けられる一対の延出板３４とを更に備えている。ここで、仕切り板３２は、上下方向に複数列配設されており、上面に化粧用品及び洗面用品等が収容可能になっている。また、延出板３４が壁面に固定状態で取付けられることにより、化粧側上部１１は、壁面に固定状態で取付けられるようになっている。
【００４１】
そして、第一収容棚９の第二収容棚２７側の側板２８は、図３に示すように、電源コード２６が挿通されるように側板２８内部が中空とされた配設通路３５と、配設通路３５に挿通された電源コード２６が取出されるように穿設された配線出口３６と、配線出口３６の下方であると共に配線出口３６とは反対側に貫通され第二収容棚２７側と配設通路３５とを連通する貫通口３７とを備えている。また、配線出口３６は、移動鏡１０の後方であると共に上限位置における移動鏡１０の下縁の高さＢよりも高く、且つ下限位置における移動鏡１０の上縁の高さＣよりも低い高さに配置されている。
【００４２】
移動鏡１０は、対向するガイドレール３３同士の距離に対応する左右幅に形成されている。また、移動鏡１０は、図４に示すように、平板状の板材３８と、板材３８の前面上側に固定状態で取り付けられ、下方より上方が突出するように板材３８の前面に対して約３０度傾斜している傾斜面３９を有した傾斜部材４０と、傾斜部材４０の下方に配置されると共に板材３８の前面に固定状態で取り付けられ使用者等が写される鏡部４１と、鏡部４１と板材３８との下端を被うと共に下方へ延出され、前側に凹みが形成された引手部４２とを備えている。
【００４３】
そして、移動鏡１０は、第一収容棚９に備えられたガイドレール３３に移動鏡１０の左右方向の両端を対応させ嵌合させることにより、上下方向へ移動可能に支持される。また、ガイドレール３３の長さは、移動鏡１０の上下方向の長さの２倍よりも短くされている。これにより、移動鏡１０の移動範囲は、上限位置における移動鏡１０の下縁の高さＢより、下限位置における移動鏡１０の上縁の高さＣが高くなるようになっている。
【００４４】
また、化粧側照明装置２４は、ＬＥＤ（図示しない）を備えるものであり、裏面が傾斜部材４０の傾斜面３９と略同じ表面積とされ、傾斜面３９と略並行方向に厚みが設けられている。また、化粧側照明装置２４は、電源コード２６と連結され電力が供給されるコード部（図示しない）を裏面に備えている。そして、化粧側照明装置２４の裏面が、移動鏡１０における傾斜面３９に固定状態で取り付けられ、コード部（図示しない）が傾斜部材４０の表面から板材３８の裏面まで貫通される貫通孔（図示しない）に挿通され、電源コード２６と連結されている。また、化粧側照明装置２４は、傾斜面３９と略並行とされた表面より光を照射する。
【００４５】
更に、保持装置２５は、図４に示すように、移動鏡１０の正面左右方向上部両端に、一端を取付けられる一対の紐材４３と、紐材４３が掛け渡されガイドレール３３の僅かに後側で側板２８の上側に回動可能な状態で取付けられた前方プーリー４４と、前方プーリー４４の後方に固定状態で配置された紐材案内部４５と、背面板３１の後方に配置されると共に前方プーリー４４と略同じ高さに回動可能な状態で取付けられ、紐材４３が掛け渡される後方プーリー４６と、背面板３１の後方に配置され紐材４３の他端が取付けられると共に移動鏡１０と化粧側照明装置２４とを合わせた重量と略同じ重量とされた保持錘４７とを備えている。
【００４６】
また、電源コード２６は、図４に示すように、配設通路３５に挿通されて、続いて、配線出口３６より移動鏡１０の後方に取出されて螺旋状に形成され、化粧側照明装置２４のコード部（図示しない）に取付けられている。以下、電源コード２６における、配設通路３５内に配置された部位を直線部２６ａとし、螺旋状に形成された部位を螺旋部２６ｂとする。
【００４７】
また、第二収容棚２７は、図３に示すように、前面に設けられた開口部４８と、開口部４８内の下側に傾動自在に取付けられた傾動収納部４９と、傾動収納部４９の上方に固定状態で配置された化粧側電源部５０と、化粧側電源部５０の上方に配置され、開口部４８を上下方向に仕切る仕切り板５１とを備えている。
【００４８】
そして、第二収容棚２７における開口部４８内下部に取付けられた傾動収納部４９は、前面を閉鎖する前面板５２、一対の側板（図示しない）、側板の後側を塞ぐ背板（図示しない）、底面を閉鎖する底板（図示しない）より形成されており、ドライヤー等を内部に収納できるようになっている。また、傾動収納部４９は、側板の外側の面に回転軸（図示しない）を備えており、回転軸によって第二収容棚２７に傾動自在に軸支され、傾動収納部４９の上側が前方下側へ傾斜される。
【００４９】
化粧側電源部５０は、前面に化粧側照明装置２４の照明をＯＮ・ＯＦＦする電源スイッチ５３及びドライヤー等の家電製品を利用可能にする電源コンセント５４を有しており、上面に化粧品等を配置できるように天板（図示しない）を設けている。また、化粧側電源部５０の内部に電源コード２６が挿通されており、挿通された電源コード２６は電源コンセント５４に電力を供給する側と電源スイッチ５３を介して化粧側照明装置２４に電力を供給する側に分けられている。また、化粧側照明装置２４に電力を供給する側の電源コード２６は、貫通口３７から配設通路３５内へ挿通される。
【００５０】
また、洗面化粧台１は、化粧机７及び洗面台４の後端より化粧側上部１１及び洗面側上部６まで略鉛直方向に延びる板状の中間鏡５５を更に備えており、中間鏡５５に対向する景色を写すことにより、部屋内を広く見せるようになっている。
【００５１】
次に、本実施形態の洗面化粧台１における移動鏡１０の動作について、図４を基に説明する。図４（ａ）の状態にある洗面化粧台１における移動鏡１０の引手部４２に手を掛け、移動鏡１０を上方に持ち上げると、移動鏡１０の両端がガイドレール３３に沿って上方へ移動され、図４（ｂ）の状態になる。この際に、移動鏡１０の上側には、化粧側照明装置２４が固定状態で取付けられているため、化粧側照明装置２４も移動鏡１０と共に上方へ移動される。また、化粧側照明装置２４が上方に配置された際（配線出口３６に対して化粧側照明装置２４が離隔位置に配置）に、電源コード２６は、螺旋部２６ｂが伸びて長寸状態とされる。
【００５２】
また、図４（ｂ）の状態にある移動鏡１０を、引手部４２に手を掛け下方に引き下げると、移動鏡１０の両端がガイドレール３３に沿って下方へ移動される。化粧側照明装置２４が下方に配置される際（配線出口３６に対して化粧側照明装置２４が近傍位置に配置）に、電源コード２６は、螺旋部２６ｂが縮んで短寸状態とされる。
【００５３】
ここで、移動鏡１０は、紐材４３により連結された保持錘４７と略同じ重量とされており、更に、紐材４３と紐材案内部４５との間、及び移動鏡１０とガイドレール３３との間には摩擦力が生じるため、移動された際の高さで保持される。
【００５４】
このように、本実施形態における洗面化粧台１では、化粧側上部１１に、上限位置と下限位置との間で上下方向へ移動可能に支持された移動鏡１０を備えているため、立った状態において化粧等で鏡を使用する際には、移動鏡１０を上方へ移動させることにより、移動鏡１０に写された顔を見ることができる。また、座った状態において化粧等で鏡を使用する際には、移動鏡１０を下方へ移動させることにより、移動鏡１０に写された顔を見ることができる。
【００５５】
また、移動鏡１０を上下方向に移動させると、移動鏡１０の上側に固定状態で取付けられた化粧側照明装置２４が、移動鏡１０と共に上下方向へ移動され、移動鏡１０に写される使用者に対する照度を一定に保つことができ、使用者は常に移動鏡１０に適切な照度で写された顔を見ることができる。また、移動鏡１０を移動させた際に、保持装置２５が移動鏡１０を任意の高さで保持するため、使い勝手の良いものとすることができる。
【００５６】
また、第一収容棚９の前方において、移動鏡１０が上下方向に移動するため、移動鏡１０を上方向に移動させることにより、第一収容棚９の下部に対して化粧品等を出し入れすることができる。また、移動鏡１０を下方向に移動させることにより、第一収容棚９の上部に対して化粧品等を出し入れすることができる。
【００５７】
更に、電源コード２６は、移動鏡１０と第一収容棚９との間を通して配線されているため、移動鏡１０により遮蔽され、意匠性に優れたものとすることができる。
【００５８】
また、電源コード２６は、第一収容棚９の側板２８内に備えられた配設通路３５へ挿通され、移動鏡１０の後方であり常に遮蔽される第一収容棚９の前方に配置された配線出口３６より取出されるため、移動鏡１０の位置に拘わらず、常に移動鏡１０の後方に位置することとなり、前方から見えないので、意匠性に優れたものとすることができる。
【００５９】
また、電源コード２６は、螺旋部２６ｂを備えており、配線出口３６に対して化粧側照明装置２４を近傍位置に配置する際には、収縮され短寸状態となるため、電源コード２６が無用に垂れ下がったり、第一収容棚９内に配置された化粧品等に絡まることなく、使い勝手の良いものとすることができる。
【００６０】
そして、電源コード２６は、配線出口３６に対して化粧側照明装置２４を離隔位置に配置する際には、伸びて長寸状態となるため、移動鏡１０及び化粧側照明装置２４を容易に移動させることができ、使い勝手の良いものとすることができる。
【００６１】
また、洗面化粧台１は、移動鏡１０の下方に配置された化粧机７を備えているため、化粧をする際に、使用する化粧品等を予め全て化粧机７の上部に配置しておくことができ、夫々の化粧品等を用意するために体勢を変えることなく化粧をすることができる。
【００６２】
また、洗面化粧台１は、化粧机７と並設された洗面台４を備えているため、使用者は殆んど移動することなく、手、顔、及び髪等を洗うことができる。更に、洗面側上部６は、固定鏡５を有しているため、構成が簡単なものとされ、使用者側へ無用に突出されることがなく、使用者が髪等を洗う際、邪魔にならないものとすることができる。なお、固定鏡５は、移動されないため、洗面側上部６の上部側から下部側までの大きさとすることができ、固定鏡５に対向する広い範囲を写すことができる。
【００６３】
以上、本考案について好適な実施形態を挙げて説明した。しかし、本考案はこの実施形態に限定されるものではない。以下に示すように、本考案の要旨を逸脱しない範囲において、種々の改良及び設計の変更が可能である。
【００６４】
上記実施形態の洗面化粧台１では、洗面台４と、洗面側上部６と、化粧机７と、化粧側上部１１とを備えたものを示したが、これに限定するものではなく、洗面台４と、洗面側上部６とを備えないものとしても良い。
【００６５】
また、上記実施形態の洗面化粧台１では、電源コード２６における、配線出口３６より取出された電源コード取出部分を螺旋状に形成することにより、「短寸状態」、「長寸状態」となるものを示したが、これに限定するものではなく、配線出口にコードリールを備え、電源コードにおける、配線出口より取出される電源コード取出部分が巻取り又は引き出されることにより「短寸状態」、「長寸状態」となるものとしても良く、これにより、上記と同様の作用効果を奏することができる。
【００６６】
更に、上記実施形態の洗面化粧台１では、移動鏡１０が平板状の板材３８と、板材３８の前面上側に固定状態で取付けられた傾斜部材４０と、傾斜部材４０の下方に取付けられた鏡部４１とを備え、化粧側照明装置２４が傾斜部材４０に固定状態で取付けられているものを示したが、これに限定するものではなく、鏡部の上端等に照明装置を取付けるようにしても良く、このようにすれば、構成が簡単なものとすることができる。また、より使い勝手の良いように、化粧側照明装置２４の照明角度を可変できる構成にしても良い。
【図面の簡単な説明】
【００６７】
【図１】本考案の一実施形態である洗面化粧台を示す正面図である。
【図２】洗面化粧台を示す斜視図である。
【図３】図１における化粧側上部を示す拡大正面図である。
【図４】図３におけるＡ−Ａ断面図であり、（ａ）は移動鏡が下限位置にある状態を示し、（ｂ）は移動鏡が上限位置にある状態を示す断面図である。
【符号の説明】
【００６８】
１    洗面化粧台
２    洗面ボール
３    カラン
４    洗面台
５    固定鏡
６    洗面側上部
７    化粧机
８    開口部
９    第一収容棚（収容棚）
１０  移動鏡（鏡）
１４  洗面側照明装置
２４  化粧側照明装置（照明装置）
２５  保持装置
２６  電源コード
２８  側板
３５  配設通路
３６  配線出口
【図１】
0003137698.tif 000003
【図２】
0003137698.tif 000004
【図３】
0003137698.tif 000005
【図４】
0003137698.tif 000006